(57)【要約】      （修正有）【課題】  固有のＩＤ番号が記憶された記憶手段が交換された場合に、交換後の記憶手段の固有のＩＤ番号に基づき、交換前の記憶手段のＩＤ番号と同一のＩＤ番号を得て情報処理を行うことが可能な情報処理方法等を提供する。【解決手段】  第２記憶手段に交換されるべき第１記憶手段に記憶された第１識別情報を取得する第１取得手段と、第２記憶手段の固有の第２識別情報を取得する第２取得手段と、第１識別情報及び第２識別情報を用い所定の演算式に基づいて、第１識別情報と第２識別情報との関係を示す関係値を算出する関係値算出手段と、第１記憶手段から第２記憶手段に交換された後に、関係値と第２識別情報を用い演算式に基づいて、第１識別情報と同一の第３識別情報を算出し、第１識別情報の代わりに当該第３識別情報を用いて情報処理を行う情報処理手段と、を備える。【選択図】  図７
2005339258.tif 000002
【特許請求の範囲】
【請求項１】
交換可能に装着された第１記憶手段の固有の第１識別情報を用いて情報処理を行う情報処理装置において、
第２記憶手段に交換されるべき前記第１記憶手段に記憶された前記第１識別情報を取得する第１取得手段と、
前記第２記憶手段の固有の第２識別情報であって当該第２記憶手段に記憶された前記第２識別情報を取得する第２取得手段と、
前記第１識別情報及び前記第２識別情報を用い所定の演算式に基づいて、前記第１識別情報と第２識別情報との関係を示す関係値を算出する関係値算出手段と、
前記第１記憶手段から前記第２記憶手段に交換された後に、前記関係値と前記第２識別情報を用い前記演算式に基づいて、前記第１識別情報と同一の第３識別情報を算出し、前記第１識別情報の代わりに当該第３識別情報を用いて前記情報処理を行う情報処理手段と、
を備えることを特徴とする情報処理装置。
【請求項２】
請求項１に記載の情報処理装置において、
前記情報処理手段は、前記第１識別情報を用いて暗号化された暗号化データを前記第３識別情報を用いて復号化する復号化処理を行うことを特徴とする情報処理装置。
【請求項３】
請求項２に記載の情報処理装置において、
前記情報処理手段は、前記第１識別情報を用いて暗号化された暗号化データを前記第２識別情報を用いて復号化できなかった場合に、前記第３識別情報を用いて復号化処理を行うことを特徴とする情報処理装置。
【請求項４】
請求項１に記載の情報処理装置において、
前記第１識別情報は、当該情報処理装置における認証処理に必要な情報であって、
前記情報処理手段は、前記第１記憶手段から前記第２記憶手段に交換された後に、前記第１識別情報の代わりに前記第３識別情報を用いて前記第２記憶手段の認証処理を行うことを特徴とする情報処理装置。
【請求項５】
請求項１乃至４の何れか一項に記載の情報処理装置において、
前記関係値は、前記第２記憶手段に記憶されることを特徴とする情報処理装置。
【請求項６】
請求項１乃至５の何れか一項に記載の情報処理装置において、
前記関係値は、前記第１識別情報に対応する数値と前記第２識別情報に対応する数値との差、和、及び積を示す値のうちの何れか１つの値であることを特徴とする情報処理装置。
【請求項７】
交換可能に装着された第１記憶手段の固有の第１識別情報を用いて情報処理を行う情報処理方法において、
第２記憶手段に交換されるべき前記第１記憶手段に記憶された前記第１識別情報を取得する工程と、
前記第２記憶手段の固有の第２識別情報であって当該第２記憶手段に記憶された前記第２識別情報を取得する工程と、
前記第１識別情報及び前記第２識別情報を用い所定の演算式に基づいて、前記第１識別情報と第２識別情報との関係を示す関係値を算出する工程と、
前記第１記憶手段から前記第２記憶手段に交換された後に、前記関係値と前記第２識別情報を用い前記演算式に基づいて、前記第１識別情報と同一の第３識別情報を算出し、前記第１識別情報の代わりに当該第３識別情報を用いて前記情報処理を行う工程と、
を備えることを特徴とする情報処理方法。
【請求項８】
交換可能に装着された第１記憶手段の固有の第１識別情報を用いて情報処理を行うコンピュータを、
第２記憶手段に交換されるべき前記第１記憶手段に記憶された前記第１識別情報を取得する第１取得手段、
前記第２記憶手段の固有の第２識別情報であって当該第２記憶手段に記憶された前記第２識別情報を取得する第２取得手段、
前記第１識別情報及び前記第２識別情報を用い所定の演算式に基づいて、前記第１識別情報と第２識別情報との関係を示す関係値を算出する関係値算出手段、及び、
前記第１記憶手段から前記第２記憶手段に交換された後に、前記関係値と前記第２識別情報を用い前記演算式に基づいて、前記第１識別情報と同一の第３識別情報を算出し、前記第１識別情報の代わりに当該第３識別情報を用いて前記情報処理を行う情報処理手段、として機能させることを特徴とする情報処理プログラム。
【請求項９】
請求項８に記載の情報処理プログラムがコンピュータ読み取り可能に記録されていることを特徴とする記録媒体。
【発明の詳細な説明】
【技術分野】
【０００１】
本発明は、交換可能に装着された不揮発性メモリやＨＤＤ等の記憶手段の固有のＩＤ（Identification）番号等の識別情報を用いて情報処理を行う情報処理装置及び方法等の技術分野に関する。
【背景技術】
【０００２】
近年、人工衛星、地上波、ＣＡＴＶ(Community Antenna Television)回線、インターネット等を通じて、映像、音声、文字情報等を有する様々なデジタル情報が取得可能になっており、取得されたデジタル情報は、情報記録再生装置に備えられた例えばＨＤＤ（Hard Disc Drive）等により記録されるようになっている。
【０００３】
ところで、例えば修理等の理由により、ＨＤＤ、基板、その他の構成部品の交換が必要な場合に、ＨＤに記録されたデジタル情報を一旦外部に出力させて他の記録媒体等に記録させることで、ＨＤＤを取り外すことなく、デジタル情報のバックアップを行うことを可能にした情報記録再生装置が特許文献１に開示されている。
【０００４】
かかる特許文献１にも記載があるように、この種の装置においては、著作権保護の観点から、一般に、ＨＤにデジタル情報が記録される際には、当該デジタル情報は暗号化され、ＨＤからデジタル情報が再生される際には、当該デジタル情報は復号化されるようになっている。このような暗号化に使用される暗号化鍵としては、製品（情報記録再生装置）固有のＩＤ番号が用いられることが一般的であり、かかるＩＤ番号は、例えば、情報記録再生装置に備えられたフラッシュメモリ等の不揮発性メモリに記憶（格納）されており、該ＩＤ番号は当該不揮発性メモリ固有のＩＤ番号でもある。
【０００５】
【特許文献１】特開２００３−２７４３２８号公報
【発明の開示】
【発明が解決しようとする課題】
【０００６】
しかしながら、従来の情報記録再生装置においては、例えば、上記ＩＤ番号が記憶された不揮発性メモリや、当該メモリが搭載（装着）された基板が修理等の理由で交換される場合、上記ＩＤ番号が変わってしまうため、ＨＤに暗号化されて記録されているデジタル情報を復号化することができなくなってしまうという問題がある。
【０００７】
一方で、特許文献１に開示された情報記録再生装置においては、上記デジタル情報のバックアップの際に当該デジタル情報を復号化して他の記録媒体等に記録すれば、再び暗号化してＨＤに記録する際に、交換後の不揮発性メモリの固有のＩＤ番号を用いればよいが、かかるデジタル情報のバックアップでは、デジタル情報が外部に出力されるので、当該デジタル情報の安全性が確保されないという問題がある。また、当該デジタル情報のバックアップに要する時間がかかるという問題もある。
【０００８】
更に、ＨＤＤに対して付与された固有のＩＤ番号と、不揮発性メモリの固有のＩＤ番号との対応関係（例えば、これらの２つのＩＤ番号が１対１の関係にあること）が認証された上で動作するような情報記録再生装置においては、ＨＤＤと不揮発性メモリの何れか一方が交換されると、ＩＤ番号の対応関係が崩れてしまい、当該装置の動作が正常に行われなくなる。そのため、例えば、ＨＤＤを交換する場合には、不揮発性メモリも同時に交換する必要がある（つまり、交換後のＨＤＤのＩＤ番号に対応するＩＤ番号を有する不揮発性メモリに交換する必要がある）という問題があった。
【０００９】
そこで、このような問題の解消を一つの課題とし、固有のＩＤ番号が記憶された不揮発性メモリやＨＤＤ等の記憶手段が交換された場合に、交換後の記憶手段の固有のＩＤ番号に基づき、交換前の記憶手段のＩＤ番号と同一のＩＤ番号を得て情報処理を行うことが可能な情報処理装置及び情報処理方法等を提供することを目的する。
【課題を解決するための手段】
【００１０】
上記課題を解決するために、請求項１に記載の情報処理装置は、交換可能に装着された第１記憶手段の固有の第１識別情報を用いて情報処理を行う情報処理装置において、第２記憶手段に交換されるべき前記第１記憶手段に記憶された前記第１識別情報を取得する第１取得手段と、前記第２記憶手段の固有の第２識別情報であって当該第２記憶手段に記憶された前記第２識別情報を取得する第２取得手段と、前記第１識別情報及び前記第２識別情報を用い所定の演算式に基づいて、前記第１識別情報と第２識別情報との関係を示す関係値を算出する関係値算出手段と、前記第１記憶手段から前記第２記憶手段に交換された後に、前記関係値と前記第２識別情報を用い前記演算式に基づいて、前記第１識別情報と同一の第３識別情報を算出し、前記第１識別情報の代わりに当該第３識別情報を用いて前記情報処理を行う情報処理手段と、を備えることを特徴とする。
【００１１】
請求項７に記載の情報処理方法は、交換可能に装着された第１記憶手段の固有の第１識別情報を用いて情報処理を行う情報処理方法において、第２記憶手段に交換されるべき前記第１記憶手段に記憶された前記第１識別情報を取得する工程と、前記第２記憶手段の固有の第２識別情報であって当該第２記憶手段に記憶された前記第２識別情報を取得する工程と、前記第１識別情報及び前記第２識別情報を用い所定の演算式に基づいて、前記第１識別情報と第２識別情報との関係を示す関係値を算出する工程と、前記第１記憶手段から前記第２記憶手段に交換された後に、前記関係値と前記第２識別情報を用い前記演算式に基づいて、前記第１識別情報と同一の第３識別情報を算出し、前記第１識別情報の代わりに当該第３識別情報を用いて前記情報処理を行う工程と、を備えることを特徴とする。
【００１２】
請求項８に記載の情報処理プログラムは、交換可能に装着された第１記憶手段の固有の第１識別情報を用いて情報処理を行うコンピュータを、第２記憶手段に交換されるべき前記第１記憶手段に記憶された前記第１識別情報を取得する第１取得手段、前記第２記憶手段の固有の第２識別情報であって当該第２記憶手段に記憶された前記第２識別情報を取得する第２取得手段、前記第１識別情報及び前記第２識別情報を用い所定の演算式に基づいて、前記第１識別情報と第２識別情報との関係を示す関係値を算出する関係値算出手段、及び、前記第１記憶手段から前記第２記憶手段に交換された後に、前記関係値と前記第２識別情報を用い前記演算式に基づいて、前記第１識別情報と同一の第３識別情報を算出し、前記第１識別情報の代わりに当該第３識別情報を用いて前記情報処理を行う情報処理手段、として機能させることを特徴とする。
【００１３】
請求項９に記載の記録媒体は、請求項８に記載の情報処理プログラムがコンピュータ読み取り可能に記録されていることを特徴とする。
【発明を実施するための最良の形態】
【００１４】
以下、本願の最良の実施形態について添付図面に基づいて説明する。以下に説明する実施の形態は、本願を情報記録再生装置に適用した場合の実施形態である。
【００１５】
先ず、図１を参照して、本実施形態における情報記録再生装置の構成及び機能について説明する。
【００１６】
図１は、本実施形態における情報記録再生装置の概略構成例を示す図である。図１に示すように、情報記録再生装置１は、不揮発性メモリ１１と、信号入力ＩＦ（インターフェース）部１２と、暗号化部１３と、ＨＤＤ部１４と、復号化部１５と、信号出力ＩＦ（インターフェース）部１６と、システム制御部１７と、表示部１８と、操作部１９と、を備えて構成され、それらの各構成要素は、バス２０を介して互いに電気的に接続されている。これらの構成要素のうち、例えば、不揮発性メモリ１１、信号入力ＩＦ部１２、暗号化部１３、復号化部１５、信号出力ＩＦ部１６、及びシステム制御部１７等は、図示しない基板上に装着（搭載）されている。不揮発性メモリ１１又はＨＤＤ部１４は、本願の第１記憶手段又は第２記憶手段の一例として機能することになる。
【００１７】
なお、情報記録再生装置１には、図示しないが、この他にも、例えばメモリカード等の外部メモリを装着する外部メモリ装着部（バス２０に電気的に接続）が備えられる。
【００１８】
不揮発性メモリ１１は、例えば、フラッシュメモリ等からなり、上記基板上に交換可能に装着（搭載）されている。この不揮発性メモリ１１には、装置１固有のＩＤ番号が記憶されている。このＩＤ番号は、不揮発性メモリ１１に予め書き込まれたものであり、不揮発性メモリ１１に固有のものである。
【００１９】
信号入力ＩＦ部１２は、例えば図示しない外部の情報再生装置又は通信機とのインターフェース処理（信号処理）を行うものであり、例えば、外部の情報再生装置において再生された映像、音声、文字情報等を有するデジタル情報（以下、「コンテンツデータ」という）を入力したり、例えば、インターネット等を通じて配信され通信機にて受信されたコンテンツデータを入力するようになっている。
【００２０】
暗号化部１３は、システム制御部１７の制御下、不揮発性メモリ１１に記憶されているＩＤ番号を暗号化鍵として用いて、例えば、信号入力ＩＦ部１２を介して入力されたコンテンツデータを暗号化するようになっている。なお、暗号化部１３は、システム制御部１７と共に、本願の情報処理手段として機能する。
【００２１】
ＨＤＤ部１４は、図示しないが、例えば、ＨＤ（ハードディスク）、バッファメモリ、及びＨＤＤ（ハードディスクドライブ）等を備え、当該装置１に交換可能に装着されており、システム制御部１７の制御下、上記暗号化されたコンテンツデータをバッファメモリに一時格納しつつＨＤＤによりＨＤに記録し、また、ＨＤに記録された暗号化されたコンテンツデータを再生しバッファメモリに一時格納するようになっている。また、ＨＤＤ部１４に対しても、ＨＤＤ部１４の固有のＩＤ番号が与えられており、当該ＩＤ番号はＨＤに予め記憶されている。このＨＤＤ部１４の固有のＩＤ番号と、不揮発性メモリ１１の固有のＩＤ番号は１対１に対応付けられており、当該ＩＤ番号の対応関係が、例えば不揮発性メモリ１１及びＨＤに記憶されている。かかるＩＤ番号の対応関係に基づいて後述する機器認証が行われることになる。
【００２２】
復号化部１５は、ＨＤＤ部１４によりバッファメモリに格納された、暗号化されたコンテンツデータを、不揮発性メモリ１１に記憶されているＩＤ番号を用いて、復号化（暗号解読）するようになっている。なお、復号化部１５は、システム制御部１７と共に、本願の情報処理手段として機能する。
【００２３】
信号出力ＩＦ部１６は、例えば図示しないスピーカ等が接続されるアンプ、及び図示しないディスプレイが接続される描画処理部とのインターフェース処理（信号処理）を行うものであり、上記復号化されたコンテンツデータのうちデジタルオーディオ（音声）データをアンプに出力し、また、当該コンテンツデータのうちデジタルビデオ（映像）データ等を描画処理部に出力するようになっている。これにより、コンテンツデータは、音声としてスピーカから出力され、かつ、映像、文字としてディスプレイに表示されることになる。
【００２４】
システム制御部１７は、演算機能を有するＣＰＵ（Central Processing Unit）、作業用ＲＡＭ、及び各種データやプログラムを記憶するＲＯＭ等を備えて構成されており、ＣＰＵが、例えばＲＯＭに記憶された各種プログラム（本願の情報処理プログラムを含む）を実行することにより、システム制御部１７は、操作部１９からの操作指示信号に従って、情報記録再生装置１全体を統括制御すると共に、本願の第１取得手段、第２取得手段、関係値算出手段、及び情報処理手段として機能するようになっている。なお、第１取得手段、第２取得手段、関係値算出手段、及び情報処理手段の詳細については後述する。
【００２５】
また、システム制御部１７は、コンテンツデータの記録指示信号を例えば操作部１９から受けた場合には、不揮発性メモリ１１からＩＤ番号を読み出して暗号化鍵として暗号化部１３に供給し、入力されたコンテンツデータを暗号化させる処理（暗号化処理）を行い、また、コンテンツデータの再生指示信号を例えば操作部１９から受けた場合には、不揮発性メモリ１１からＩＤ番号を読み出して復号化鍵として復号化部１５に供給し、暗号化されたコンテンツデータを復号化させる処理（復号化処理）を行うようになっている。ここで、例えば、不揮発性メモリ１１が交換され、不揮発性メモリ１１のＩＤ番号が変わってしまった場合には、暗号化鍵が変わることになる。
【００２６】
また、システム制御部１７は、上述した、不揮発性メモリ１１のＩＤ番号とＨＤＤ部１４のＩＤ番号との対応関係に基づいて、機器認証処理を行う。例えば、操作部１９からの認証指示信号を受けた場合や、装置１の電源（図示せず）が投入された場合、或いは、不揮発性メモリ１１又はＨＤＤ部１４が交換された際に、機器認証処理を行い、当該ＩＤ番号の１対１の対応関係が崩れた（例えば、ＨＤＤ部１４が交換され、ＨＤＤ部１４のＩＤ番号が変わってしまった）場合に、例えば当該装置１の動作をロックする。
【００２７】
なお、ＲＯＭに記憶された各種プログラム（本願の情報処理プログラムを含む）の全部又は一部をＨＤＤ部１４におけるＨＤに記憶しておいてもよい。また、当該プログラムは、インターネット等のネットワークに接続されたサーバからダウンロード、或いはＣＤ−ＲＯＭ等の記録媒体から読み込まれてＨＤに記憶されてもよい。
【００２８】
表示部１８は、例えば、液晶パネル等を備えており、システム制御部１７の制御の下、コンテンツデータに関連する情報（例えば、タイトル等）や、当該装置１の動作状態（例えば、再生、記録、停止等）、更には、サービスマン等により当該装置１における不揮発性メモリ１１やＨＤＤ部１４等の機器が交換される際の各種画面を表示するようになっている。
【００２９】
操作部１９は、ユーザからの各種操作指示を受付けるための操作ボタンを備えており、ユーザより指定された操作ボタンに対応する操作指示信号（例えば、再生指示信号、記録指示信号等）をシステム制御部１７に出力するようになっている。
【００３０】
以上の情報記録再生装置１の構成において、例えば、不揮発性メモリ１１又はこれが搭載された基板、或いは、ＨＤＤ部１４が修理等の理由により交換される場合に、システム制御部１７により本願の特徴とする処理が行われることになる。
【００３１】
なお、以下の説明において、交換前の不揮発性メモリ１１，交換前のＨＤＤ部１４を、夫々、第１不揮発性メモリ１１，第１ＨＤＤ部１４と称し、交換後の不揮発性メモリ１１，交換後のＨＤＤ部１４を、夫々、第２不揮発性メモリ１１，第２ＨＤＤ部１４と称するものとする。また、交換前の不揮発性メモリ１１等の固有のＩＤ番号を、第１ＩＤ番号と称し、交換後の不揮発性メモリ１１等の固有のＩＤ番号を、第２ＩＤ番号と称するものとする。
【００３２】
例えば不揮発性メモリ１１が交換される場合、システム制御部１７は、第１取得手段として、第２不揮発性メモリ１１に交換されるべき第１不揮発性メモリ１１に記憶された第１識別情報としての第１ＩＤ番号を、当該交換前に取得（例えば、ＲＡＭにおける所定の記憶領域に記憶）し、例えば、外部メモリ或いはＨＤに一時保存しておく。
【００３３】
また、当該交換後、システム制御部１７は、第２取得手段として、第２不揮発性メモリ１１に記憶された第２識別情報としての第２ＩＤ番号を取得（例えば、ＲＡＭにおける所定の記憶領域に記憶）する。
【００３４】
そして、システム制御部１７は、関係値算出手段として、第１ＩＤ番号及び第２ＩＤ番号を用い所定の演算式（例えば、プログラム上で予め規定されている）に基づいて、第１ＩＤ番号と第２ＩＤ番号との関係を示す関係値Ｋを算出する。所定の演算式としては、例えば、第１ＩＤ番号を数値Ｓ１、第２ＩＤ番号を数値Ｓ２とした場合、数値Ｓ１と数値Ｓ２との差（差分）を算出する式（関係値Ｋ＝数値Ｓ１−数値Ｓ２）、数値Ｓ１と数値Ｓ２との和を算出する式（関係値Ｋ＝数値Ｓ１＋数値Ｓ２）、数値Ｓ１と数値Ｓ２との積を算出する式（関係値Ｋ＝数値Ｓ１×数値Ｓ２）、数値Ｓ１を数値Ｓ２で除する式（関係値Ｋ＝数値Ｓ１／数値Ｓ２）が挙げられる。また、第１ＩＤ番号と第２ＩＤ番号との関係を示す関係値Ｋを算出できる演算式であれば、如何なる演算式も適用可能であり、特に限定されるものではない。このように算出された関係値Ｋは、例えば、第２不揮発性メモリ１１等に記憶保存される。
【００３５】
このように、第１不揮発性メモリ１１から第２不揮発性メモリ１１に交換された後、システム制御部１７は、情報処理手段として、上記記憶保存された関係値Ｋと、第２不揮発性メモリ１１に記憶された第２ＩＤ番号を用い上記演算式に基づいて、第１ＩＤ番号と同一の第３識別情報としての第３ＩＤ番号を算出し、当該第１ＩＤ番号の代わりに当該第３ＩＤ番号を用いて情報処理としての上述した復号化処理や機器認証処理を行うことになる。これにより、第１不揮発性メモリ１１から第２不揮発性メモリ１１に交換されることにより、ＩＤ番号が変わってしまった場合でも、交換前の第１不揮発性メモリ１１の固有の第１ＩＤ番号と同一のＩＤ番号を復元できるので、既に第１ＩＤ番号で暗号化されたコンテンツデータを第３ＩＤ番号で復号化することができ、また、ＨＤＤ部１４の固有のＩＤ番号と、不揮発性メモリ１１の固有のＩＤ番号との対応関係が崩れることなく、認証処理結果が良好となる。
【００３６】
以上は、不揮発性メモリ１１が交換される場合を例にとったが、ＨＤＤ部１４が交換される場合も同様（第１ＨＤＤ部１４の第１ＩＤ番号と第２ＨＤＤ部１４の第２ＩＤ番号が取得され、それらの関係値が算出される）である。
【００３７】
次に、本実施形態における情報記録再生装置１における動作について説明する。
【００３８】
（ＩＤ番号取得及び関係値算出処理）
始めに、図２乃至図６を参照して、不揮発性メモリ１１、又は当該不揮発性メモリ１１が装着された基板が交換される際におけるＩＤ番号取得及び関係値算出処理について説明する。
【００３９】
図２はシステム制御部１７のＩＤ番号取得及び関係値算出処理を示すフローチャート、図３はパスワード要求画面例、図４はサービス用モード画面例、図５はＩＤ番号継承のための実行画面例、図６はＩＤ番号継承の終了画面例である。
【００４０】
図２の処理において、先ず、ステップＳ１０１では、サービスマンによりパスワード要求画面に入るための操作指示がなされたか否かが判断される。この判断が肯定されれば、ステップＳ１０２に進み、否定されれば、サービスマンによって所定の処理がなされるまで待機される。
【００４１】
ステップＳ１０２では、例えば図３に示すパスワード要求画面を表示部１８に表示させる。このように表示されたパスワード要求画面を通じて、サービスマンはパスワード１を操作部１９を操作して入力する。
【００４２】
次に、ステップＳ１０３では、パスワード１が入力されたか否かが判断される。この判断が肯定されれば、ステップＳ１０４に進み、否定されれば、サービスマンによりパスワード１が入力されるまで待機される。
【００４３】
ステップＳ１０４では、例えば図４に示すサービス用モード画面を表示部１８に表示させる。このように表示されたサービス用モード画面を通じて、サービスマンはパスワード２又はパスワード３を、操作部１９を操作して入力する。
【００４４】
次に、ステップＳ１０５では、パスワード２が入力されたか否かが判断される。この判断が肯定されれば、ステップＳ１０６に進み、否定されれば、ステップＳ１１１に進む。
【００４５】
ステップＳ１０６では、例えば図５に示すＩＤ番号継承のための実行画面を表示部１８に表示させる。このように表示されたＩＤ番号継承のための実行画面にしたがってサービスマンは、外部メモリ装着部（図示せず）にＣＦメモリカード等の外部メモリ（図示せず）を装着した後、操作部１９を操作して「実行」ボタンを指定する。
【００４６】
ステップＳ１０７では、「実行」ボタンが指定され、かつ外部メモリ装着部に外部メモリが装着されているか否かが判断される。この判断が肯定されれば、ステップＳ１０８に進み、否定されれば、ステップＳ１０１に戻る。
【００４７】
ステップＳ１０８では、第１不揮発性メモリ１１から第１ＩＤ番号を読み出し、外部メモリに書き込む（記憶する）。
【００４８】
次に、ステップＳ１０９では、例えば図６に示すＩＤ番号継承の終了画面を表示部１８に表示させる。このように表示されたＩＤ番号継承の終了画面にしたがってサービスマンは、操作部１９を操作して「終了」ボタンを指定する。
【００４９】
ステップＳ１１０では、「終了」ボタンが指定されたか否かが判断される。この判断が肯定されれば、ステップＳ１０１に戻り、否定されれば、「終了」ボタンが指定されるまで待機される。
【００５０】
この後、サービスマンは、第１不揮発性メモリ１１（又は第１不揮発性メモリ１１が装着された基板）を、第２不揮発性メモリ１１（又は第２不揮発性メモリ１１が装着された基板）に交換することになる。
【００５１】
そして、例えば第２不揮発性メモリ１１に交換された後、ステップＳ１１１では、パスワード３が入力されたか否かが判断される。この判断が肯定されれば、ステップＳ１１２に進み、否定されれば、ステップＳ１０１に戻る。
【００５２】
ステップＳ１１２では、例えば図５に示すＩＤ番号継承のための実行画面を表示部１８に表示させる。このように表示されたＩＤ番号継承のための実行画面にしたがってサービスマンは、操作部１９を操作して「実行」ボタンを指定する。
【００５３】
ステップＳ１１３では、「実行」ボタンが指定され、かつ外部メモリ装着部に外部メモリが装着されているか否かが判断される。この判断が肯定されれば、ステップＳ１１４に進み、否定されれば、外部メモリが装着されるまで待機される。なお、ステップＳ１０８を経て、当該外部メモリには、第１ＩＤ番号が記憶されているものとする。
【００５４】
ステップＳ１１４では、外部メモリに記憶されている第１ＩＤ番号が取得され、かつ、第２不揮発性メモリ１１に記憶されている第２ＩＤ番号が取得され、上述したように、第１ＩＤ番号及び第２ＩＤ番号が用いられ所定の演算式に基づいて、第１ＩＤ番号と第２ＩＤ番号との関係を示す関係値Ｋが算出される。
【００５５】
次に、ステップＳ１１５では、算出された関係値Ｋが、例えば第２不揮発性メモリ１１に書き込まれる（記憶）され、ステップＳ１０１に戻り、サービスマンによって所定の操作がなされるまで待機される。
【００５６】
（第３ＩＤ番号算出及び復号化処理）
始めに、図７を参照して、不揮発性メモリ１１、又は不揮発性メモリ１１が装着された基板が交換された後における第３ＩＤ番号算出及び復号化処理（本願の情報処理の一例）について説明する。
【００５７】
図７はシステム制御部１７の第３ＩＤ番号算出及び復号化処理を示すフローチャートである。当該処理は、例えば、操作部１９からの再生指示信号が受付けられた場合に実行される。
【００５８】
図７の処理において、先ず、ステップＳ２０１では、ＨＤＤ部１４にコンテンツデータの再生指令が与えられると共に、第２不揮発性メモリ１１から第２ＩＤ番号が読み出され、当該第２ＩＤ番号が復号化鍵として復号化部１５に設定され、復号化指令が与えられる。これにより、暗号化されたコンテンツデータの復号化処理が行われる。例えば、当該コンテンツデータが交換後の第２不揮発性メモリ１１の第２ＩＤ番号により暗号化されていた場合、コンテンツデータは正常に復号化されるが、当該コンテンツデータが交換前の第１不揮発性メモリ１１の第１ＩＤ番号により暗号化されていた場合、コンテンツデータは復号化されずエラー発生となる。
【００５９】
次に、ステップＳ２０２では、復号化のエラーが発生したか否かが判断される。この判断が肯定されれば、ステップＳ２０３に進み、否定、すなわち、コンテンツデータの復号化に成功すれば、当該処理が終了される。
【００６０】
ステップＳ２０３では、第２不揮発性メモリ１１から第２ＩＤ番号及び関係値Ｋが読み出され、第２ＩＤ番号及び関係値Ｋが用いられ上記演算式に基づいて、第１ＩＤ番号と同一の第３ＩＤ番号が算出される。
【００６１】
次に、ステップＳ２０４では、算出された第３ＩＤ番号が復号化鍵として復号化部１５に設定され、復号化指令が与えられる。これにより、暗号化されたコンテンツデータの復号化処理が行われる。これにより、当該コンテンツデータが交換前の第１不揮発性メモリ１１の第１ＩＤ番号により暗号化されていた場合であっても、コンテンツデータは、正常に復号化されることになる。
【００６２】
次に、ステップＳ２０５では、復号化のエラーが発生したか否かが判断される。この判断が肯定されれば、ステップＳ２０１に戻り、否定、すなわち、コンテンツデータの復号化に成功すれば、当該処理が終了される。
【００６３】
以上説明したように、上記実施形態によれば、不揮発性メモリ１１又は不揮発性メモリ１１が装着された基板が修理等の理由により交換されることにより、不揮発性メモリ１１に記憶された装置（メモリ１１）固有の第１ＩＤ番号が第２ＩＤ番号に変わった場合であっても、第１ＩＤ番号と同一の第３ＩＤ番号が算出されるので、かかる第３ＩＤ番号により、交換前に第１ＩＤ番号が用いられて暗号化されたコンテンツデータを復号化することができる。従って、修理等の際に、ＨＤに記録されている暗号化されたコンテンツデータを復号化してバックアップをとる必要がないので、コンテンツデータの安全性を確保でき、当該バックアップに要する時間を削減することができる。
【００６４】
また、上記実施形態において、不揮発性メモリ１１又はそれが装着された基板が交換されるのではなく、ＨＤＤ部１４が交換される場合であっても、上記図２及び図７に示す処理を適用でき、この場合、システム制御部１７は、第１ＨＤＤ部１４の第１ＩＤ番号の代わりに、算出された第３ＩＤ番号を用いて機器認証処理を行うことになる。従って、ＨＤＤ部１４の固有のＩＤ番号と、不揮発性メモリ１１の固有のＩＤ番号との対応関係が崩れることなく、認証処理結果を良好とさせることができる。言い換えれば、第１不揮発性メモリ１１の第１ＩＤ番号に対応するＨＤＤ部１４を、第２不揮発性メモリ１１の第２ＩＤ番号に対応するＨＤＤ部１４として認識させることができる。さらに言い換えれば、第２ＩＤ番号を有する第２ＨＤＤ部１４を第１ＩＤ番号を有する第１ＨＤＤ部１４として認識させることができるので、ＨＤＤ部の記録容量アップのための交換等で利用できる。そのため、例えば、ＨＤＤ部１４を交換する場合に、これに対応する不揮発性メモリ１１も同時に交換する必要がない。なお、不揮発性メモリ１１とＨＤＤ部１４との対応関係に限定されるものではなく、装置１内のその他の構成要素（部品）間の対応関係であってもよい。
【００６５】
（他の実施形態１）
上記実施形態においては、上記交換の際に、第１不揮発性メモリ１１の第１ＩＤ番号を外部メモリに一旦記憶するように構成したが、その他の例として、第１ＩＤ番号を外部メモリにせずに、交換されるメモリ間（第１不揮発性メモリ１１と第２不揮発性メモリ１１間）、又は基板間で直接やりとりするように構成してもよい。
【００６６】
図８は、基板Ａと基板Ｂ間でＩＤ番号をやり取りする場合の様子を示す図である。図９は、基板Ａと基板Ｂ間でＩＤ番号をやり取りする場合の基板Ｂにおけるシステム制御部１７ｂのＩＤ番号取得及び関係値算出処理を示すフローチャートである。
【００６７】
基板Ａから基板Ｂに交換される場合に、図８に示すように、両基板が通信ケーブル３３で接続（例えば、バス２０に接続された通信端子に接続）されることにより、基板Ａのシステム制御部１７ａと基板Ｂのシステム制御部１７ｂとがデータ通信可能となる。
【００６８】
そして、図９の処理において、ステップＳ３０１では、先ず、基板Ｂから基板Ａに対して、「ＩＤ番号要求」コマンドが送信される。これに応じて、基板Ａのシステム制御部１７ａは、不揮発性メモリ１１ａから第１ＩＤ番号を読み出して、これを「ＩＤ番号応答」コマンドと共に通信ケーブル３３を介して、基板Ｂのシステム制御部１７ｂに送信する。
【００６９】
次に、ステップＳ３０２では、基板Ａから「ＩＤ番号応答」コマンドが受信されたか否かが判断される。この判断が肯定された場合には、交換前の不揮発性メモリ１１ａ（第１不揮発性メモリ１１に相当）の第１ＩＤ番号が、交換後の不揮発性メモリ１１ｂ（第２不揮発性メモリ１１に相当）に記憶される（ステップＳ３０３）。
【００７０】
次に、ステップＳ３０４では、不揮発性メモリ１１ｂから第１ＩＤ番号及び第２ＩＤ番号が取得され、上述したように、第１ＩＤ番号及び第２ＩＤ番号を用いて所定の演算式に基づいて、第１ＩＤ番号と第２ＩＤ番号との関係を示す関係値Ｋが算出される。
【００７１】
次に、ステップＳ３０５では、算出された関係値Ｋが、例えば不揮発性メモリ１１ｂに書き込まれ（記憶され）、処理が終了する。
【００７２】
なお、この場合における第３ＩＤ番号算出及び復号化処理については、図７に示す処理と同様となる。
【００７３】
このように、基板Ａと基板Ｂ間で直接、ＩＤ番号をやり取りするように構成すれば、上述した実施形態と同様の効果を奏することに加え、ＩＤ番号が外部メモリに出力されないので、コンテンツデータ等の安全性をより一層確保することができる。
【００７４】
（他の実施形態２）
上記実施形態においては、本願を情報再生記録装置１に対して適用した場合の例について説明したが、これに限定されるものではなく、車載用ナビゲーション装置や、スクランブリング・システム等に対しても適用可能である。以下に、本願をスクランブリング・システムに対して適用した場合の実施形態について説明する。
【００７５】
図１０は、スクランブリング・システムの概略構成例を示す図である。このスクランブリング・システムは、例えば、ＣＡＴＶ等で放送される特定のテレビジョン信号に係るビデオデータ、オーディオデータ等を含むソースプログラム情報を、ユーザが有料で視聴するためのシステムである。かかる視聴にあたって、ユーザがテレビジョン信号の提供者等に対して適切な料金を支払うことで、当該ユーザ（当該ユーザ用のデコーダ）に対して固有のＩＤ番号が付与されることになる。
【００７６】
図１０に示すように、スクランブリング・システムは、提供者側に設置されたエンコーダ４２と、当該エンコーダ４２にサテライト・リンク（通信網）６０を介して接続され、ユーザ側に設置されたデコータ４１と、を備えて構成されている。
【００７７】
エンコーダ４２は、ソースプログラム情報４３を所定のキーにより暗号化し、サテライト・リンク６０を介してデコーダ４１に伝送するプログラムスクランブル４９と、所定のキーを全ユーザ（加入者）のそれぞれに割り当てられたＩＤ番号を使用して暗号化するためのキー暗号器４６と、所定のキー（キーデータ）を記憶しておくキーメモリ４７と、当該システムの全ユーザのそれぞれに割り当てられたＩＤ番号を記憶するためのデータベース４８と、を備えている。このＩＤ番号は各ユーザのデコーダ４１毎に割り当てられた固有の識別情報である。
【００７８】
デコーダ４１は、ソースプログラム情報４３を復号化して出力装置４５（例えば、モニタ等）に伝送するプログラムデスクランブル５０と、暗号化されたキー（キーデータ）をＩＤ番号を用いて復号化するためのキー解読器５１と、復号化されたキーを記憶しておくキーメモリ５２と、ユーザ毎に固有のＩＤ番号を記憶する不揮発性メモリ５３と、を備えている。
【００７９】
このような構成において、エンコーダ４２は、プログラムスクランブル４９において、ソースプログラム情報４３をキーメモリ４７に記憶されている所定のキーを用いて暗号化する。また、当該キー（キーデータ）は、キー暗号器４６によって、ＩＤ番号ＤＢ４８に記憶されているＩＤ番号（例えば、ソースプログラム情報４３が提供される相手がＩＤ１であれば「０００１」）を用いて暗号化される。そして、エンコーダ４２のプログラムスクランブル４９は、暗号化されたキー及びソースプログラム情報４３をサテライト・リンク６０を介してデコーダ４１に伝送する。
【００８０】
これに対し、デコーダ４１は、暗号化されたキー及びソースプログラム情報４３を受信し、まず、暗号化されたキーを不揮発性メモリ５３に記憶されている固有のＩＤ番号を用いてキー解読器５１によって復号化し、それをキーメモリ５２に記憶する。そして、デコーダ４１は、プログラムデスクランブル５０において、受信したソースプログラム情報４３をキーメモリ５２に記憶されたキーを用いて復号化し、出力装置４５に出力する。
【００８１】
このようなスクランブリング・システムにおいて、デコーダ４１の固有のＩＤ番号が記憶された不揮発性メモリ５３や、その不揮発性メモリ５３が搭載された基板が修理等の理由で交換される場合には、上記実施形態と同様、機器固有のＩＤ番号が変わってしまい、暗号化されたキー（キーデータ）を復号化できないこととなる。従って、そのような場合、スクランブリング・システムおいても、上記図２及び図７に示す処理を実行することにより、不揮発性メモリ５３に記憶された第１ＩＤ番号が、これと異なる第２ＩＤ番号に変わった場合であっても、第１ＩＤ番号と同一の第３ＩＤ番号が算出されるので、かかる第３ＩＤ番号により、暗号化されたキー（キーデータ）を復号化することができ、ひいては、ソースプログラム情報４３を復号化することが可能となる。
【図面の簡単な説明】
【００８２】
【図１】本実施形態における情報記録再生装置の概略構成例を示す図である。
【図２】システム制御部のＩＤ番号取得及び関係値算出処理を示すフローチャートである。
【図３】パスワード要求画面例である。
【図４】サービス用モード画面例である。
【図５】ＩＤ番号継承のための実行画面例である。
【図６】ＩＤ番号継承の終了画面例である。
【図７】システム制御部の第３ＩＤ番号算出及び復号化処理を示すフローチャートである。
【図８】基板Ａと基板Ｂ間でＩＤ番号をやり取りする場合の様子を示す図である。
【図９】基板Ａと基板Ｂ間でＩＤ番号をやり取りする場合の基板Ｂにおけるシステム制御部のＩＤ番号取得及び関係値算出処理を示すフローチャートである。
【図１０】スクランブリング・システムの概略構成例を示す図である。
【符号の説明】
【００８３】
１  情報記録再生装置
１１  不揮発性メモリ
１２  信号入力ＩＦ部
１３  暗号化部
１４  ＨＤＤ部
１５  復号化部
１６  信号出力ＩＦ部
１７  システム制御部
１８  表示部
１９  操作部
２０  バス
【図１】
2005339258.tif 000003
【図２】
2005339258.tif 000004
【図３】
2005339258.tif 000005
【図４】
2005339258.tif 000006
【図５】
2005339258.tif 000007
【図６】
2005339258.tif 000008
【図７】
2005339258.tif 000009
【図８】
2005339258.tif 000010
【図９】
2005339258.tif 000011
【図１０】
2005339258.tif 000012